(57)【特許請求の範囲】
【請求項１】
発信者の発信時に発信側の電話番号および発信者名のうち少なくとも一方の情報を回線を介して着信側へ通知する交換機に前記回線を介して接続される電話装置において、
発信者の発信に基づいて前記回線に着信が到来するときに前記交換機から通知される前記発信側の前記電話番号および前記発信者名の情報を受信する受信手段と、
この受信手段により受信された前記発信側の前記電話番号および前記発信者名の情報が記録されるユーザテーブルと、
発信者の発信に基づいて前記回線に着信が到来するときにこの着信を拒否する前記発信側の前記電話番号および前記発信者名の情報が記録されるブラックリストテーブルと、
前記受信手段により受信された前記発信側の前記電話番号および前記発信者名を前記ユーザテーブルに既に記録されている前記発信側の前記電話番号および前記発信者名の情報と比較し、前記発信側の前記電話番号または前記発信者名のうち一方が異なることを検出する検出手段と、
この検出手段が一定期間内に検出する回数が所定値を超えると前記受信手段により受信された前記発信側の前記電話番号および前記発信者名を前記ブラックリストテーブルに記録する記録手段と、
前記受信手段により受信された発信側の電話番号または発信者名が前記ブラックリストテーブルに記録されているときに、前記発信側からの着信に応答するのを拒否する着信応答手段と
を備えたことを特徴とする電話装置。
【請求項２】
請求項１に記載された電話装置において、
前記ブラックリストテーブルに記録された前記発信側の前記電話番号および前記発信者名の情報を所定操作に基づいて表示する表示手段をさらに備えたことを特徴とする電話装置。
【請求項３】
請求項１または２に記載された電話装置において、
必ず応答する発信者の電話番号および発信者名の情報を記録する着信有効テーブルをさらに備え、
前記記録手段は、所定操作に基づいて必ず応答する発信者の電話番号および発信者名を着信有効テーブルに記録し、
前記着信応答手段は、前記受信手段により受信された前記電話番号および前記発信者名の情報が前記着信有効テーブルに記録されているときにこの着信有効テーブルに記録されている前記発信者からの着信に応答することを特徴とする電話装置。
【発明の詳細な説明】
【０００１】
【発明の属する技術分野】
本発明は、電話装置に関し、より詳しくはいたずら電話の着信に対し応答を拒否できる電話装置に関する。
【０００２】
【従来の技術】
従来、この種の電話装置では、相手を確認する手段として回線を通じて通知される発信者番号を利用し、いたずら電話であると判明した相手先からの着信に応答するのを自動的に拒否するようにしている。
【０００３】
しかし、ＩＳＤＮ回線では、発信者が着信者に通知される発信者番号を任意に変更することができるため、いたずら電話をかける者が電話番号を変更してしまうと、いたずら電話か否かの判定ができず、自動的に応答を拒否することができなかった。
また、アナログ回線も同様に、いたずら電話をかける者が電話会社に連絡して契約している電話番号を変更してしまうと、電話番号自体が変わってしまうので、自動的に応答を拒否することができなくなってしまう。
【０００４】
一方、回線を通じて発信者名（契約者名）を交換機から着信側に通知するサービスが始まろうとしている。この回線を通じて交換機から通知される発信者名（契約者名）に基づいて、着信がいたずら電話か否かを判別する発明が考えられる。
【０００５】
【発明が解決しようとする課題】
しかしながら、いたずら電話をかける者が発信者番号または発信名のどちらか一方を変更してしまうと、着信側の電話装置にいたずら電話として記録された電話番号または発信者名のうちどちらか一方が異なる電話番号または発信者名が通知されるので、着信側の電話装置は、その発信者をいたずら電話と判別することができず、結果としていたずら電話からの着信に自動的に応答するのを拒否できないという問題が発生していた。
本発明は、以上のような課題を解決するためになされたものであり、その目的とするところは、効果的にいたずら電話からの着信に応答するのを拒否することができる電話装置を提供することにある。
【０００６】
【課題を解決するための手段】
このような課題を解決するために本発明に係る電話装置は、発信者の発信時に発信側の電話番号および発信者名のうち少なくとも一方の情報を回線を介して着信側へ通知する交換機に回線を介して接続される電話装置において、発信者の発信に基づいて回線に着信が到来するときに交換機から通知される発信側の電話番号および発信者名の情報を受信する受信手段と、この受信手段により受信された発信側の電話番号および発信者名の情報が記録されるユーザテーブルと、発信者の発信に基づいて回線に着信が到来するときにこの着信を拒否する発信側の電話番号および発信者名の情報が記録されるブラックリストテーブルと、受信手段により受信された発信側の電話番号および発信者名をユーザテーブルに既に記録されている発信側の電話番号および発信者名の情報と比較し、発信側の電話番号または発信者名のうち一方が異なることを検出する検出手段と、この検出手段が一定期間内に検出する回数が所定値を超えると受信手段により受信された発信側の電話番号および発信者名をブラックリストテーブルに記録する記録手段と、受信手段により受信された発信側の電話番号または発信者名がブラックリストテーブルに記録されているときに、発信側からの着信に応答するのを拒否する着信応答手段とを備えたことを特徴とする。
この電話装置によれば、交換機から通知される発信側の電話番号および発信者名のうち一方が一定期間内に所定回数異なると、その発信側の電話番号および発信者名はいたずら電話としてブラックリストテーブルに記録され、このブラックリストテーブルに記録された電話番号および発信者名からの着信は応答するのが拒否される。
【０００７】
上記電話装置において、ブラックリストテーブルに記録された発信側の電話番号および発信者名の情報を所定操作に基づいて表示する表示手段をさらに備えてもよい。この電話装置によれば、ブラックリストテーブルの情報が表示手段により表示される。
【０００８】
上記電話装置において、必ず応答する発信者の電話番号および発信者名の情報を記録する着信有効テーブルをさらに備え、記録手段は、所定操作に基づいて必ず応答する発信者の電話番号および発信者名を着信有効テーブルに記録し、着信応答手段は、受信手段により受信された電話番号および発信者名の情報が着信有効テーブルに記録されているときにこの着信有効テーブルに記録されている発信者からの着信に応答するようにしてもよい。この電話装置によれば、着信有効テーブルに記録された発信者からの着信には、ブラックリストテーブルに記録されているか否かにかかわらず応答する。
【０００９】
【発明の実施の形態】
以下、本発明の実施の形態について図面を参照して説明する。
まず図８を参照して、本実施の形態に係る電話装置に適用される発信者通知サービスの概要を説明する。図８において、１０Ａは情報発信端末、１０Ｂは情報受信端末、１００は発側交換機、２００は着側交換機、３００は発信者名ＤＢ（発信者名データベース）をそれぞれ示している。
【００１０】
情報発信端末１０Ａについて発信者通知サービスが設定されており、この情報発信端末１０Ａの発信者電話番号と発信者名（契約者名）とが発信者名ＤＢ３００に登録されているとする。ここで、図８の時点▲１▼で情報発信端末１０Ａが情報受信端末１０Ｂ宛に発信したとすると、情報発信端末１０Ａの電話番号が発側交換機１００を介して着側交換機２００に送られる。着側交換機２００では、この情報発信端末１０Ａの電話番号を時点▲２▼で発信者名ＤＢ３００に転送する。発信者名ＤＢ３００では、転送されてきた電話番号をもとに発信者名を検索し、検索結果の発信者名を時点▲３▼で着側交換機２００に転送する。着側交換機２００は、時点▲４▼における情報受信端末１０Ｂへの着信時に着信情報として、情報発信端末１０Ａの電話番号と発信者名とを情報受信端末１０Ｂに通知する。
【００１１】
図９は、着信時における着側交換機２００と情報受信端末１０Ｂの動作を示すシーケンス図である。まず、図９（ａ）に示すアナログ回線の場合の動作から説明する。
図８に示す着側交換機２００は、情報受信端末１０Ｂの着信に先立ち、ステップＳ２１で１６Ｈｚの受信端末起動信号を情報受信端末１０Ｂへ送出する。すると、情報受信端末１０Ｂでは、この受信端末起動信号を検出してステップＳ２２で回線の直流ループを閉結する（一次応答信号）。着側交換機２００は、この回線直流ループ閉結に基づく一次応答信号により、情報受信端末１０Ｂ側の応答を認識すると、前述した情報発信端末１０Ａの電話番号と発信者名をモデム信号によりステップＳ２３で情報受信端末１０Ｂに通知する。
【００１２】
情報受信端末１０Ｂは、着側交換機２００から通知された情報発信端末１０Ａの電話番号と発信者名とを受信すると、閉結していた回線の直流ループをステップＳ２４で開放する（受信完了信号）。着側交換機２００は、受信完了信号を検出すると、ステップＳ２５で情報受信端末１０Ｂへ１６Ｈｚの呼出信号を送出する。この呼出信号により情報受信端末１０Ｂ側が着信鳴動し、情報受信端末１０Ｂの例えばオフフックにより回線の直流ループが閉結されると、この回線直流ループ閉結がステップＳ２６で二次応答信号として着側交換機２００へ伝達され、着側交換機２００では情報受信端末１０Ｂの着信応答を認識する。したがって、情報受信端末１０Ｂ側で着側交換機２００から通知される情報発信端末１０Ａの電話番号および発信者名を表示部に表示するようにすれば、情報受信端末１０Ｂ側では着信に応答する前に誰からの着信であるかを容易に識別することができる。
【００１３】
一方、図９（ｂ）はＩＳＤＮ回線の場合の動作を示すシーケンス図である。ＩＳＤＮ回線の場合は、情報受信端末１０Ｂへの着信時にまず着側交換機２００から、「ＣＮＧ」（”発番号情報要素”）と、「ＣＲＩ−ＩＮＶ（Caller RelatedInfomation-INV）」（発信者関連文字情報オペレーション）を含んだ「ＦＡＣ」（”ファシリティ”）情報要素とからなる「ＳＥＴＵＰ」（「呼設定」メッセージ）をＩＳＤＮ回線 を介して情報受信端末１０ＢにステップＳ３１で送信する。
【００１４】
すると、情報受信端末１０Ｂはこの「呼設定」メッセージを識別して、「ＣＡＬＬＰＲＯＣ」（「呼設定受付」メッセージ）をステップＳ３２で着側交換機２００に送信するとともに、続いてステップＳ３３およびＳ３４でそれぞれ、「ＡＬＥＲＴ」（「呼出」メッセージ）および「ＣＯＮＮ」（「応答」メッセージ）を着側交換機２００へ送出する。着側交換機２００は、これらのメッセージを受信すると、「ＣＯＮＮＡＣＫ」（「応答確認」メッセージ）をステップＳ３５で情報受信端末１０Ｂへ返送する。したがって、情報受信端末１０Ｂ側で着側交換機２００からの「呼設定」メッセージに含まれる、”発番号情報要素”中の発番号（発信者電話番号）と、”ファシリティ”情報要素の「ＣＲＩ−ＩＮＶ」内の発信者名とを表示部に表示するようにすれば、情報受信端末１０Ｂ側では着信に対応する前に誰からの着信であるかを容易に識別することができる。
【００１５】
次に、図１を参照して本実施の形態に係る電話装置の構成について説明する。図１（ａ）は本実施の形態に係る電話装置の構成例を示すブロック図であり、発信者の電話番号と名前（発信者名）とが通知されるアナログ回線（外線）Ｌ１、Ｌ２に接続された単独電話機の例である。
この電話装置１０は、外線Ｉ／Ｆ１１と、制御部１２と、通話回路１３と、記憶部１４と、表示部１５と、操作部１６と、ブザー１７とから構成される。なお、電話装置１０は、図８における情報受信端末１０Ｂに対応する。
【００１６】
受信手段を実現する外線Ｉ／Ｆ１１には、回線Ｌ１、Ｌ２に到来する着信信号を検出する着信検出回路１８と、回線Ｌ１、Ｌ２の直流ループの開放状態を検出する開ループ検出回路１９と、回線Ｌ１、Ｌ２のリバースを検出するリバース検出回路２０と、回線Ｌ１、Ｌ２の直流ループを閉結するための図示しないスイッチ素子等からなるループ閉結回路２１と、回線Ｌ１、Ｌ２へ送出するダイヤル信号を生成するダイヤル回路２２と、回線Ｌ１、Ｌ２からのモデム信号を受信するモデム２３と、トランスＴとが設けられている。
【００１７】
ここで、利用者が発信操作を行うと、電話装置１０の制御部１２はループ閉結回路２１を駆動して回線Ｌ１、Ｌ２の直流ループを閉結した後、操作された相手電話番号をダイヤル回路２２に送出することによりこの電話番号に応じたダイヤル信号を生成させ、ループ閉結回路２１を介して回線Ｌ１、Ｌ２側へ送出させる。これにより、相手の呼出が行われ相手の呼出への応答により発信通話が可能になる。
【００１８】
一方、相手端末（情報発信端末）側からの着信時には、図９（ａ）に示すように、まず着側交換機２００から１６Ｈｚの受信端末起動信号が回線Ｌ１、Ｌ２に到来する。この受信端末起動信号は電話装置１０の着信検出回路１８で検出されて制御部１２に出力される。この場合、制御部１２は、ループ閉結回路２１を駆動する。すると、ループ閉結回路２１のスイッチ素子の接点が閉結されることにより、回線Ｌ１とＬ２の間が、回線Ｌ１→トランスＴ→ループ閉結回路２１のスイッチ素子→回線Ｌ２の経路で接続され、回線Ｌ１、Ｌ２の直流ループが閉結される（一次応答信号）。着側交換機２００は一次応答信号を検出すると、前述したように発信者電話番号および発信者名をモデム信号により通知する。
【００１９】
着側交換機２００からのモデム信号は、直流ループが閉結された回線Ｌ１、Ｌ２に到来しモデム２３により受信される。電話装置１０の制御部１２は、モデム２３により受信された発信者電話番号および発信者名を表示部１５に表示するとともに、ループ閉結回路２１を駆動してスイッチ素子の接点を開放することにより回線Ｌ１、Ｌ２の直流ループを開放する（受信完了信号）。すると、着側交換機２００は、この受信完了信号に基づき電話装置１０側へ１６Ｈｚの呼出信号を送出する。この呼出信号は着信検出回路１８で検出されて制御部１２に伝達され、この場合制御部１２はブザー１７を駆動して着信鳴動を行う。
【００２０】
この着信鳴動により利用者が着信に気づきこの着信に応答するためにオフフックすると、図示しないフックスイッチにより回線Ｌ１、Ｌ２の直流ループが閉結され、これが二次応答信号として着側交換機２００へ伝達されることにより、利用者の着信応答通話が実現される。
なお、電話装置１０がＩＳＤＮ回線に接続される場合は、図１の外線Ｉ／Ｆ１１の代わりにＩＳＤＮ回線Ｉ／Ｆ部を設け、このＩＳＤＮ回線Ｉ／Ｆ部が着側交換機２００と図９（ｂ）のシーケンスに基づく処理を行うことにより、同様に着側交換機２００から通知される発信者電話番号および発信者名を受信できるとともに、「呼設定受付」メッセージ（受信完了）を着側交換機２００へ返送することもできる。
【００２１】
制御部１２は、電話装置１０の各部を制御するＣＰＵなどのマイクロプロセッサから構成されており、記憶部１４に予め格納されているプログラム１４Ｄを読み込んで起動することにより各種機能を実現する。
すなわち制御部１２は、ハードウェアとソフトウェアの協働により図１（ｂ）に示す記録手段１２Ａ、検出手段１２Ｂおよび着信応答手段１２Ｃとして作用する。
【００２２】
記録手段１２Ａは、外線Ｉ／Ｆ１１が受信した電話番号および発信者名を、後述する記憶部１４のユーザテーブル１４Ａ、ブラックリストテーブル１４Ｂ、着信有効テーブル１４Ｃに記録する。検出手段１２Ｂは、外線Ｉ／Ｆ１１が受信した電話番号および発信者名を、既にユーザテーブル１４Ａに記録されている電話番号および発信者名と比較し、この電話番号および発信者名のどちらか一方が異なることを検出する。着信応答手段１２Ｃは、外線Ｉ／Ｆ１１が受信した電話番号または発信者名が、ブラックリストテーブル１４Ｂに記録されている場合は着信を拒否し、着信有効テーブル１４Ｃに記録されている場合は着信に応答する。
【００２３】
記憶部１４は、公知の記憶媒体からなり、図１（ｂ）に示すように制御部１２で実行されるプログラム１４Ｄのほか、ユーザテーブル１４Ａ、ブラックリストテーブル１４Ｂおよび着信有効テーブル１４Ｃなどの各種情報を記憶する。ユーザテーブル１４Ａには、外線Ｉ／Ｆ１１が受信した電話番号および発信者名が記録される。ブラックリストテーブル１４Ｂには、着信を拒否する電話番号および発信者名が記録される。着信有効テーブル１４Ｃには、着信に応答する電話番号および発信者名が記録される。
制御部１２には、上述した記憶部１４と、ＬＣＤやＬＥＤなどの表示素子を用いて回線使用状態や着信状態などの電話の動作状態を表示する表示部１５と、図示しないダイヤルキーなどのキー入力や図示しないフックスイッチの状態などから利用者の操作を検出する操作部１６と、ブザー１７とが接続される。
【００２４】
なお、本実施の形態に係る電話装置は、上述した単独電話機のみならず親子電話機やボタン電話機にも適用することができる。
【００２５】
次に、図２および図３を参照して、前述した発信者通知サービスを利用した本実施の形態における電話装置の動作について説明する。図２および図３は、本実施の形態における電話装置の受信処理の動作を示すフローチャートである。
【００２６】
外線Ｉ／Ｆ１１が着信を検出すると（ステップＳ１：ＹＥＳ）、制御部１２は、着側交換機２００に一時応答信号を送信し、この一時応答信号に基づいて着側交換機２００から発信側の電話番号または発信者名の情報が送られてきたか否かを確認する（ステップＳ２）。電話番号および発信者名のどちらの情報も送られてこない場合には（ステップＳ２：ＮＯ）、制御部１２は、ループ閉結回路２１を駆動し回線Ｌ１、Ｌ２の直流ループを開放させ、ブザー１７を駆動して着信鳴動を行う（通常処理）（ステップＳ７）。
また、電話番号および発信者名のどちらの情報も送られてこない場合には（ステップＳ２：ＮＯ）、制御部１２は、自動的にループ閉結回路２１を駆動させて回線Ｌ１、Ｌ２の直流ループを閉結することにより着信に応答し、例えば「応答できません」などのメッセージを送出した後、ループ閉結回路２１を開放して回線Ｌ１、Ｌ２を切断するようにしてもよい。
【００２７】
電話番号および発信者名の少なくともどちらか一方の情報を受信した場合には（ステップＳ２：ＹＥＳ）、制御部１２は、受信した電話番号または発信者名が着信有効テーブル１４Ｃに記録されているか否かを確認する（ステップＳ３）。着信有効テーブル１４Ｃに受信した電話番号または発信者名が記録されている場合には（ステップＳ３：ＹＥＳ）、着信応答手段１２Ｃは、通常処理を行う（ステップＳ７）。
【００２８】
着信有効テーブル１４Ｃに受信した電話番号または発信者名が記録されていない場合は（ステップＳ３：ＮＯ）、その電話番号または発信者名がブラックリストテーブル１４Ｂに記録されているか否かを確認する（ステップＳ４）。
ブラックリストテーブル１４Ｂに受信した電話番号または発信者名のどちらか一方もしくは両方が記録されている場合には（ステップＳ４：ＹＥＳ）、制御部１２は、受信した電話番号または発信者名が新しい場合には、その電話番号または発信者名を新たにブラックリストテーブル１４Ｂに追加して記録した後（ステップＳ５）、着信応答手段１２Ｃは、ループ閉結回路２１の閉結し、その後開放を行うことにより回線Ｌ１、Ｌ２を切断し、発信側からの着信に応答するのを拒否する（切断処理）（ステップＳ６）。
なお、切断処理の他の例として、着信応答手段１２Ｃは、着側交換機２００から呼出信号が送られてきてもブザー１７が駆動しないようにすることができる。このようにすると、発信側の電話装置には、着信側の電話装置が留守の場合と同様に呼出音が鳴り続ける。
【００２９】
ブラックリストテーブル１４Ｂに受信した電話番号または発信者名が記録されていない場合は（ステップＳ４：ＮＯ）、図３に示す符号１の処理に進み、ユーザテーブル１４Ａに受信した電話番号または発信者名が記録されているか否かを確認する（ステップＳ８）。受信した電話番号と発信者名のいずれもユーザテーブル１４Ａに記録されていない場合には（ステップＳ８：ＮＯ）、記録手段１２Ａが受信した電話番号または発信者名をユーザテーブル１４Ａに記録し（ステップＳ９）、制御部１２は、通常処理を行う（ステップＳ１８）。
【００３０】
受信した電話番号または発信者名の少なくともどちらか一方が既にユーザテーブル１４Ａに記録されている場合には（ステップＳ８：ＹＥＳ）、検出手段１２Ｂは、受信した電話番号または発信者名と、既にユーザテーブル１４Ａに記録されている電話番号または発信者名とを比較し、電話番号または発信者名のどちらか一方が相違するか否かを検出する（ステップＳ１０）。
受信した電話番号および発信者名が既にユーザテーブル１４Ａに記録されている電話番号および発信者名と同一の場合には（ステップＳ１０：ＮＯ）、制御部１２は、通常処理を行う（ステップＳ１８）。
これに対し、電話番号または発信者名のどちらか一方が既にユーザテーブル１４Ａに記録されている電話番号または発信者名と相違することを検出した場合には（ステップＳ１０：ＹＥＳ）、ユーザテーブル１４Ａに設けられている不一致カウンタの数値を１つ増やし（ステップＳ１１）、本実施の形態ではこの数値が３以上か否かを確認する（ステップＳ１２）。
【００３１】
不一致カウンタが３未満の場合には（ステップＳ１２：ＮＯ）、着信応答手段１２Ｃは、通常処理を行う（ステップＳ１８）。しかし、不一致カウンタが３以上の場合には（ステップＳ１２：ＹＥＳ）、検出手段１２Ｂが３回検出するのに一定期間を要したか否かを確認する（ステップＳ１３）。
通常、電話番号および発信者名は、頻繁に変わるものではない。何らかの理由で頻繁に変わったとしても、それが短期間に変わることは、いたずら電話以外ではほとんど考えられない。そこで、ステップＳ１２およびＳ１３では、電話番号または発信者名のどちらか一方が相違する回数は、例えば１ヶ月に３回など通常では考えられない回数に設定する。
検出手段１２Ｂが３回検出するのに要した期間が一定期間を越えた場合には（ステップＳ１３：ＮＯ）、不一致カウンタを消去し（ステップＳ１５）、制御部１２は、通常処理を行う
（ステップＳ１８）。
【００３２】
検出手段１２Ｂが３回検出するのに要した期間が一定期間内の場合には（ステップＳ１３：ＹＥＳ）、この発信側の情報をブラックリストテーブル１４Ｂに登録するか否かを確認する指示を出す（ステップＳ１４）。電話装置の使用者がブラックリストテーブル１４Ｂに記録すること望む場合には（ステップＳ１４：ＹＥＳ）、使用者が操作部１６により所定操作を行い、この所定操作に基づいて記録手段１２Ａがブラックリストテーブル１４Ｂに発信側の情報を記録し（ステップＳ１６）、着信応答手段１２Ｃが切断処理を行う（ステップＳ１７）。
なお、検出手段１２Ｂが一定期間内に３回検出した時点で自動的にブラックリストテーブル１４Ｂに発信側の情報を登録するようにすることもできる。
【００３３】
電話装置の使用者がブラックリストテーブル１４Ｂに記録することを望まない場合には（ステップＳ１４：ＮＯ）、不一致カウンタをリセットし（ステップＳ１５）、着信応答手段１２Ｃは、通常処理を行う（ステップＳ１８）。なお、この際に記録手段１２Ａは、発信側の情報を着信有効テーブルに記録するように設定することもできる。
【００３４】
次に、図４を参照して、本実施の形態におけるユーザテーブル１４Ａについて説明する。図４は、本実施の形態におけるユーザテーブル１４Ａの一例である。ユーザテーブル１４Ａには、電話番号および発信者名のそれぞれに不一致カウンタが対応づけて記録される。受信した電話番号または発信者名のどちらか一方がユーザテーブル１４Ａに記録されている電話番号および発信者名と相違することを検出手段１２Ｂが検出すると、電話番号および発信者名の片方でも一致する全ての対応する不一致カウンタの数値は１つ増やされる。
【００３５】
電話装置１０は、不一致カウンタの数値が一定期間内に所定の数値を超えると、この不一致カウンタに対応づけて記録されている電話番号および発信者名からの着信に応答するのを拒否するか否かを使用者に確認する。
なお、電話装置１０は、不一致カウンタの数値が一定期間内に所定の数値を超えた時点で、自動的に不一致カウンタに対応づけて記録されている電話番号および発信者名をブラックリストテーブル１４Ｂに記録することもできる。
また、ブラックリストテーブル１４Ｂに記録する基準となる不一致カウンタの数値および所定期間は、適宜自由に設定することができる。
【００３６】
次に、図５を参照して、本実施の形態におけるブラックリストテーブル１４Ｂについて説明する。図５（ａ）は、着信▲１▼〜▲５▼における発信側からの着信例、（ｂ）〜（ｄ）は、ブラックリストテーブル１４Ｂへの記録の仕方を説明する図である。便宜上、電話番号および発信者名は、１つの数字もしくはアルファベットで表す。
着信▲１▼〜▲３▼においては、電話番号が１で発信者名がＡ、Ｂ、Ｃ、着信▲４▼では電話番号が２で発信者名がＡ、着信▲５▼では電話番号が１で発信者名がＤからの着信があったと仮定する。
【００３７】
ブラックリストテーブル１４Ｂは、電話番号と発信者名のそれぞれにインデックスを対応づけて記録される。なお、インデックスとは、電話番号と名前のつながりを表す。
着信▲１▼〜▲３▼があった場合には、電話番号と発信者名は、図５（ｂ）に示すようにブラックリストテーブル１４Ｂに記録される。着信▲１▼〜▲３▼は、電話番号は全て同じ１であるが、発信者名がＡ、Ｂ、Ｃと全て異なる。このような場合にブラックリストテーブル１４Ｂには、電話番号は１、この電話番号に対応するインデックスにはＡ、Ｂ、Ｃ、発信者名はＡ、Ｂ、Ｃ、この発信者名に対応するインデックスには１が記録される。
【００３８】
次の着信▲４▼は、電話番号が２であるが、発信者名がＡで、この発信者名Ａは図５（ｂ）に示すように、既にブラックリストテーブル１４Ｂに記録されているので、電話番号に２、この電話番号２に対応するインデックスにＡを記録する。次いで、発信者名Ａが以前にどの電話番号で着信があったかもしくは可能性があるかを発信者名に基づいてブラックリストテーブル１４Ｂを検索すると、発信者名Ａに対応するインデックスには１が記録されており、以前に電話番号１で着信があったもしくは着信する可能性があることがわかる。電話番号１は、ブラックリストテーブル１４Ｂを電話番号１に基づいて検索すると、インデックスにＡ、Ｂ、Ｃが記録されており、以前にＡ、Ｂ、Ｃという発信者名で着信があったもしくは着信する可能性があることがわかる。そこで、電話番号２も発信者名Ｂ、Ｃが使用される可能性があるので、図５（ｃ）に示すように、電話番号２に対応するインデックスにはＡ、Ｂ、Ｃが記録される。同様に発信者名Ａ、Ｂ、Ｃも電話番号２が使用される可能性があるので、発信者名Ａ、Ｂ、Ｃに対応するインデックスには２が記録される。
【００３９】
次の着信▲５▼は、電話番号が１で、発信者名がＤとなっており、図５（ｃ）に示すように電話番号１は既に記録されているので、発信者名にＤ、この発信者名Ｄに対応するインデックスに１を記録する。次いで、電話番号１がどの発信者名を使用する可能性があるかを電話番号１に基づいてブラックリストテーブル１４Ｂを検索すると、電話番号１に対応するインデックスにはＡ、Ｂ、Ｃが記録されているので、発信者名Ａ、Ｂ、Ｃを使用する可能性があることがわかる。また、発信者名Ａ、Ｂ、Ｃは、どの電話番号を使用する可能性があるかを発信者名Ａ、Ｂ、Ｃに基づいてブラックリストテーブル１４Ｂを検索すると、対応するインデックスには１と２が記録されているので、電話番号１、２を使用する可能性があることがわかる。そこで、発信者名Ｄも、電話番号２が使用される可能性があるので、図５（ｄ）に示すように、発信者名Ｄに対応するインデックスには２が記録される。同様に、電話番号１、２も発信者名Ｄが使用される可能性があるので、電話番号１、２に対応するインデックスにはＤが記録される。
上述したように、本発明の電話装置は、ブラックリストテーブル１４Ｂに実際に受信した電話番号および発信者名のみならず受信する可能性がある電話番号および発信者名も記録されるので、いたずら電話からの着信を効果的に識別することができ、この着信に応答するのを効果的に拒否することができる。
【００４０】
なお、本発明の電話装置は。ブラックリストテーブル１４Ｂに、電話番号および発信者名のそれぞれにインデックスが対応づけて記録されれば、上述した以外の方法で電話番号、発信者名およびインデックスを記録してもよい。
【００４１】
次に、図６に着信有効テーブル１４Ｃの一例を示す。着信有効テーブル１４Ｃには、発信者からの着信に必ず応答する電話番号および発信者名が記録される。図６に示すように、着信有効テーブル１４Ｃには、電話番号および発信者名のどちらか一方もしくは両方を複数記録することもできる。これにより、必ず応答する発信者からの着信には、確実に応答することができる。
【００４２】
次に、図７に表示部１５に表示されるブラックリストテーブル１４Ｂの一例を示す。操作部１６に所定操作を行うと、表示部１５には図７に示すような着信に応答するのを拒否する電話番号および発信者名が表示される。電話番号および発信者名のどちらか一方もしくは両方が複数ある場合には、全て表示することができる。これにより、いたずら電話の発信者の情報を確認することができる。
なお、ブラックリストテーブル１４Ｂの情報は、操作部１６で所定操作を行うことにより変更、消去等をすることができる。
また、表示部１５へのブラックリストテーブル１４Ｂの表示方法は、電話番号および発信者名が表示されれば、図７に示す形態以外の表示方法で表示してもよい。
【００４３】
【発明の効果】
以上説明したように本発明の電話装置は、発信者の発信に基づいて回線に着信が到来するときに交換機から通知される発信側の電話番号および発信者名の情報を受信し、受信された発信側の電話番号および発信者名の情報をユーザテーブルに記録し、受信された発信側の電話番号および発信者名を既にユーザテーブルに記録されている発信側の電話番号および発信者名の情報と比較して発信側の電話番号または発信者名のうち一方が異なることを所定期間内に所定回数検出すると、その発信側の電話番号および発信者名をブラックリストテーブルに記録し、このブラックリストテーブルに記録されている発信側からの着信に応答するのを拒否することにより、効果的にいたずら電話からの着信に応答するのを拒否することができる
【００４４】
また、本発明の電話装置は、ブラックリストテーブルに記録された発信側の電話番号および発信者名の情報を所定操作に基づいて表示する表示手段をさらに備えることにより、着信を拒否する発信者の情報を確認することができる。
さらに、本発明の電話装置は、必ず応答する発信者の電話番号および発信者名の情報を記録する着信有効テーブルをさらに備えることにより、着信有効テーブルに記録されている発信者からの着信には必ず応答し、いたずら電話からの着信と差別化を図ることができる。
【図面の簡単な説明】
【図１】  （ａ）本発明に係る電話装置の構成を示すブロック図、（ｂ）制御部および記憶部の構成を示すブロック図である。
【図２】  本発明に係る電話装置の動作を示すフローチャートである。
【図３】  本発明に係る電話装置の動作を示すフローチャートである。
【図４】  ユーザテーブル１４Ａの例を示す図である。
【図５】  ブラックリストテーブル１４Ｂの例およびブラックリストテーブル１４Ｂへの記録方法の一例を説明する図である。
【図６】  着信有効テーブル１４Ｃの例を示す図である。
【図７】  表示部１５に表示されるブラックリストテーブル１４Ｂの例である。
【図８】  情報発信端末装置の発信時に発信端末の情報が情報受信端末側へ通知される状況を示す図である。
【図９】  着信時に着側交換機と情報受信端末側で送受される信号のシーケンスを示す図である。
【符号の説明】
１０…電話装置、１１…外線Ｉ／Ｆ、１２…制御部、１２Ａ…記録手段、１２Ｂ…検出手段、１２Ｃ…着信応答手段、１３…通話回路、１４…記憶部、１４Ａ…ユーザテーブル、１４Ｂ…ブラックリストテーブル、１４Ｃ…着信有効テーブル、１４Ｄ…プログラム、１５…表示部、１６…操作部、１７…ブザー、１８…着信検出回路、１９…開ループ検出回路、２０…リバース検出回路、２１…ループ閉結回路、２２…ダイヤル回路、２３…モデム。
【図１】
0003896839.tif 000002
【図２】
0003896839.tif 000003
【図３】
0003896839.tif 000004
【図４】
0003896839.tif 000005
【図５】
0003896839.tif 000006
【図６】
0003896839.tif 000007
【図７】
0003896839.tif 000008
【図８】
0003896839.tif 000009
【図９】
0003896839.tif 000010